(57)【特許請求の範囲】
【請求項１】
複数の楽曲情報に予め定められた所定条件で割り振られた再生順を示す再生順情報を、利用者に変更させる支援を行う再生順変更支援ユニットであって、
前記再生順情報を取得する再生順情報取得手段と、
前記取得された再生順情報に対応した前記楽曲情報の各々の特徴を示す楽曲特徴情報を発生する楽曲特徴情報発生手段と、
前記取得された再生順情報と前記発生された楽曲特徴情報との関係を示す関係領域上に前記楽曲情報を示す提示情報を表示するための再生順特徴情報を生成する再生順特徴情報生成手段と、
前記再生順特徴情報の表示を制御する表示制御手段と、
前記再生順特徴情報の表示に応じて前記利用者から入力される前記再生順に対する変更内容を示す変更情報を取り込む変更情報取込手段と、
前記取り込まれた変更情報に基づいて前記再生順情報を変更する再生順変更手段と、
を有することを特徴とする再生順変更支援ユニット。
【請求項２】
前記再生順特徴情報生成手段は、前記利用者が任意に選択した特徴と前記複数の楽曲情報の再生順との関係を示す関係領域上に前記提示情報を表示するように前記再生順特徴情報を生成することを特徴とする請求項１に記載の再生順変更支援ユニット。
【請求項３】
前記再生順情報取得手段が、再生対象となっている前記楽曲情報とそれ以降の前記楽曲情報に対応した前記再生順情報を取得し、そして、前記再生順特徴情報生成手段が、前記関係領域上に前記再生対象とそれ以降の再生順に対応した前記楽曲情報を示す提示情報を表示する前記再生順特徴情報を生成するようにしたことを特徴とする請求項２に記載の再生順変更支援ユニット。
【請求項４】
前記変更情報取込手段が、前記表示制御手段によって表示された前記再生順特徴情報の前記関係領域における前記選択した特徴と前記再生順とに対して前記利用者が選択した選択結果を示す軌跡を前記変更情報として取り込み、そして、前記再生順変更手段が、前記変更情報の示す軌跡上、若しくは、軌跡近傍に前記提示情報が表示されるように前記再生順を変更し、この変更した再生順となるように前記再生順情報を変更するようにしたことを特徴とする請求項２又は３に記載の再生順変更支援ユニット。
【請求項５】
前記再生順特徴情報生成手段が、前記関係領域を予め定められた区分条件で複数の区分領域に区分し、該区分領域の各々を異なる表示色で表示するように区分した前記再生順特徴情報を生成し、そして、前記変更情報取込手段が、前記利用者によって指定された前記表示色を示す前記変更情報を取り込み、そして、前記再生順変更手段が、その表示色に対応した前記楽曲情報を前記再生順から削除して新たな再生順となるように前記再生順情報を変更するようにしたことを特徴とする請求項２〜４の何れか１項に記載の再生順変更支援ユニット。
【請求項６】
複数の楽曲情報に対応して予め定められた所定条件で割り振られた再生順を示す再生順情報に基づいて前記楽曲情報を再生する楽曲情報再生装置において、
前記請求項１〜５の何れか１項に記載の再生順変更支援ユニットを設けて、前記再生順変更支援ユニットが変更した前記再生順情報が示す再生順で前記複数の楽曲情報を再生するようにしたことを特徴とする楽曲情報再生装置。
【請求項７】
複数の楽曲情報に予め定められた所定条件で割り振られた再生順を示す再生順情報を、利用者に変更させる支援を行う再生順変更支援方法であって、
前記再生順情報を取得し、この再生順情報に対応した前記楽曲情報の各々の特徴を示す楽曲特徴情報を発生した後、前記取得された再生順情報と前記発生された楽曲特徴情報との関係を示す関係領域上に前記楽曲情報を示す提示情報を表示するための再生順特徴情報を生成し、この再生順特徴情報の表示に応じて入力される前記再生順に対する変更内容を示す変更情報を取り込み、この変更情報に基づいて前記再生順情報を変更することを特徴とする再生順変更支援方法。
【発明の詳細な説明】
【技術分野】
【０００１】
本発明は、楽曲等の楽曲情報を再生する再生順の利用者による変更を支援する再生順変更支援ユニット、楽曲情報再生装置及び再生順変更支援方法等の技術分野に関する。
【背景技術】
【０００２】
近年、ＨＤ（Hard Disc）等の記録媒体の大容量化や、ＭＰ（MPEG Audio Layer）３、ＡＴＲＡＣ（Adaptive TRansform Acoustic Coding）３等のデータ圧縮技術の進展により、利用者が、例えばオーディオ機器やパーソナルコンピュータ等を使用して、例えば、多くのＣＤ(Compact Disc)や、ＭＤ(Mini Disc)、ＤＶＤ(Digital Versatile Disc）等に記録された楽曲のデータを、一つのＨＤ等に記録して再生することが可能になっている。更に、最近では、インターネット上における配信サーバから楽曲のデータをダウンロードして上記ＨＤ等に記録して再生することが可能になった。
【０００３】
このように記録された多くの楽曲のうちから、再生すべき楽曲の選択（選曲）に当たって、例えば、ＨＤに記録されている楽曲に関する情報（例えば、楽曲のタイトル）を一覧表示させて、その中から利用者が所望の楽曲を選択することが一般的である。そして、選択された楽曲から一覧表示されている順に楽曲が順次再生される。
【０００４】
また、近年では、音声認識技術を用いて利用者が発話した音声（例えば、楽曲のタイトル）を認識することによって楽曲を選択することが可能になっている。例えば、特許文献１に開示された楽曲検索装置には、データの手入力を行わなくても、楽曲の検索を行うことができるようになっている。
【特許文献１】
特開平１０−９１１７６号公報
【発明の開示】
【発明が解決しようとする課題】
【０００５】
しかしながら、上述したように非常に多くの楽曲を記録できるようになると、その中から利用者好みの楽曲を選曲して再生順を定めて再生するが、その中に適当でない、好みでない等の楽曲が選ばれていると、その楽曲の再生に応じて利用者のテンションが低下してしまうため、利用者は再生順の変更や楽曲をスキップすることになるが、複数の楽曲全体の特徴を把握して即座に変更することは困難であった。特に、楽曲を再生する装置がカーオーディオである場合、利用者が運転しながら次の曲や候補曲を即座に変更することは困難であった。本発明が解決しようとする課題は、上記した問題が一例として挙げられる。
［０００６］
よって本発明は、上述した問題点等に鑑み、利用者の好みに合った再生順への速やかな変更を支援することができる再生順変更支援ユニット、楽曲情報再生装置及び再生順変更支援方法等を提供することを課題としている。
課題を解決するための手段
【０００７】
上記課題を解決するため本発明によりなされた請求項１記載の再生順変更支援ユニットは、複数の楽曲情報に予め定められた所定条件で割り振られた再生順を示す再生順情報を、利用者に変更させる支援を行う再生順変更支援ユニットであって、前記再生順情報を取得する再生順情報取得手段と、前記取得された再生順情報に対応した前記楽曲情報の各々の特徴を示す楽曲特徴情報を発生する楽曲特徴情報発生手段と、前記取得された再生順情報と前記発生された楽曲特徴情報との関係を示す関係領域上に前記楽曲情報を示す提示情報を表示するための再生順特徴情報を生成する再生順特徴情報生成手段と、前記再生順特徴情報の表示を制御する表示制御手段と、前記再生順特徴情報の表示に応じて前記利用者から入力される前記再生順に対する変更内容を示す変更情報を取り込む変更情報取込手段と、前記取り込まれた変更情報に基づいて前記再生順情報を変更する再生順変更手段と、を有することを特徴とする。
［０００８］
上記課題を解決するため本発明によりなされた請求項６記載の楽曲情報再生装置は、複数の楽曲情報に対応して予め定められた所定条件で割り振られた再生順を示す再生順情報に基づいて前記楽曲情報を再生する楽曲情報再生装置において、前記請求項１〜５の何れか１項に記載の再生順変更支援ユニットを設けて、前記再生順変更支援ユニットが変更した前記再生順情報が示す再生順で前記複数の楽曲情報を再生するよう＆こしたことを特徴とする。
【０００９】
上記課題を解決するため本発明によりなされた請求項７記載の再生順変更支援方法は、複数の楽曲情報に予め定められた所定条件で割り振られた再生順を示す再生順情報を、利用者に変更させる支援を行う再生順変更支援方法であって、前記再生順情報を取得し、この再生順情報に対応した前記楽曲情報の各々の特徴を示す楽曲特徴情報を発生した後、前記取得した再生順情報と前記発生した楽曲特徴情報とに基づいて、前記楽曲情報を示す提示情報を表示するための再生順特徴情報を生成し、この再生順特徴情報の表示に応じて入力される前記再生順に対する変更内容を示す変更情報を取り込み、この変更情報に基づいて前記再生順情報を変更することを特徴とする。
【図面の簡単な説明】
［００１０］
［図１］本発明の再生順変更支援ユニットを組み込んだ楽曲情報再生装置の構成の一例を示す構成図である。
［図２］再生順特徴画面上における各楽曲に対応する楽曲アイコンの表示例を示す図であり、（ａ）はＸ軸が再生順の場合、（ｂ）はＺ軸が再生順の場合をそれぞれ示している。
［図３］図１のシステム制御部が実行する再生順変更支援処理を示すフローチャートである。
［図４］再生順情報の変更例１を説明するための再生順特徴情報の表示例を示す図であり、（ａ）は変更前、（ｂ）は変更後をそれぞれ示している。
［図５］再生順情報の変更例２を説明するための再生順特徴情報の表示例を示す図であり、（ａ）は変更前、（ｂ）は変更後をそれぞれ示している。
［図６］再生順情報の変更例３を説明するための再生順特徴情報の表示例を示す図である。
［図７］再生順情報の変更例４を説明するための再生順特徴情報の表示例を示す図であり、（ａ）は変更前、（ｂ）は変更後をそれぞれ示している。
符号の説明
［００１１］
１楽曲情報再生装置
１０  再生順変更支援ユニット
１３    楽曲特徴量抽出部
１４    情報記憶部
１５    操作・表示部
１９    システム制御部
【発明を実施するための最良の形態】
【００１２】
以下、本願の最良の実施形態を添付図面に基づいて説明する。なお、以下に説明する実施の形態は、例えば、カーオーディオ、システムオーディオ等の楽曲情報再生装置に対して、再生順変更支援ユニットを適用した場合の実施形態である。また、図１は本発明の再生順変更支援ユニットを組み込んだ楽曲情報再生装置の構成の一例を示す構成図である。
【００１３】
図１に示すように、本発明の再生順変更支援ユニットを組み込んだ楽曲情報再生装置１は、情報再生部１１、情報出力部１２、楽曲特徴量抽出部１３、情報記憶部１４、操作・表示部１５、マイクロフォン１６、音声認識部１７、ネットワーク３を介して情報配信サーバ２との間でデータ通信を行うための通信部１８、及びシステム制御部１９を備えて構成されている。
【００１４】
情報再生部１１は、システム制御部１９の制御下、ＣＤ（Compact Disc：ＣＤ−ＤＡ（Digital Audio）、ＣＤ−Ｒ、ＣＤ−Ｒ／Ｗ等の総称）、ＭＤ（Mini Disc）、ＤＶＤ（Digital Versatile Disc：ＤＶＤ−Audio、ＤＶＤ−Video、ＤＶＤ−Ｒ、ＤＶＤ−ＲＷ等の総称）、又はカード型記録媒体（例えば、メモリースティックやＳＤカード等）等の記録媒体（記録手段）に記録された楽曲（本願の提示情報の一例）を再生し、当該楽曲を情報出力部１２、楽曲特徴量抽出部１３、及び情報記憶部１４に出力するようになっている。
【００１５】
例えば、情報再生部１１がＣＤ（例えば、ＣＤ−ＤＡ）に記録された楽曲を再生するものである場合、当該情報再生部１１は、図示しないが、当該ＣＤに光ビームを照射して記録情報を光学的に読み取り電気信号に光電変換し出力する光ピックアップ、当該光ピックアップから出力された電気信号からＲＦ（Radio Frequency）信号等を生成して出力するＲＦアンプ、当該ＲＦ信号に所定の復調処理及び誤り訂正処理等を行いデジタル信号に変換して楽曲を再生するデジタル信号処理回路（例えばＤＳＰ（Digital Signal Processor）等により構成）及び、スピンドルモータ及び光ピックアップをサーボ制御するサーボ回路等を備え、当該楽曲の再生、出力を行う。
【００１６】
また、情報再生部１１は、記録媒体に、楽曲に付随する付随情報（例えば、楽曲のタイトル、ジャンル（例えば、ロック、ジャズ、ポップス、クラッシック、ヒップホップ等）などのテキスト情報）、アーティスト名、年代（例えば、いつ製作されたかを示す情報）等）、製作国等が記録されている場合（例えば、記録媒体がＣＤ−ＴＥＸＴ等の場合）には、情報再生部１１は、システム制御部１９の制御下、当該付随情報を記録媒体から読み出し、情報記憶部１４に出力するようになっている。また、本実施形態において、これらの付随情報は、楽曲の特徴を表す特徴情報の一例として扱われるものとする。
【００１７】
なお、ＣＤ以外の記録媒体から楽曲を再生するための構成及び機能については公知の技術であるので、詳しい説明は省略する。また、マルチメディアプレーヤのように、複数の記録媒体から楽曲を再生するように構成してもよい。
【００１８】
情報出力部１２は、図示しないが、情報再生部１１により再生された楽曲（デジタル音声信号）、又はシステム制御部１９から出力された音声ガイド情報等を入力し、これをアナログ音声信号に変換するＤＡＣ（Digital-to-Analog Converter）、当該アナログ音声信号を増幅して出力するＡＭＰ（Amplifier）、及び増幅されたアナログ音声信号を音波として出力するスピーカ等を備えており、楽曲をスピーカから出力するようになっている。
【００１９】
楽曲特徴量抽出部１３は、例えばＤＳＰ等により構成されており、情報再生部１１により再生出力された楽曲を入力し、当該楽曲のデータから当該楽曲の特徴を示す楽曲特徴量を抽出し、情報記憶部１４及びシステム制御部１９に出力するようになっている。
【００２０】
ここで、楽曲特徴量とは、その楽曲の特徴を定量的に示す情報（例えば、０〜３００の間の数値等で表される）であり、これには、例えば、楽曲の楽音から得られる楽音特徴量などが含まれる。なお、本実施形態において、楽曲特徴量もまた、楽曲の特徴を表す特徴情報の一例として扱われるものとする。
【００２１】
楽音特徴量としては、キー（ハ長調、イ短調等の曲の調性）、キーの変化位置（又は変化パターン）、コード(Minor, Major)、当該コードの変化位置（又は変化パターン）、当該コードの変化量（ＣＰＭ：Code Per Minute）（又は変化率（ＨＶＬ））、ビート（拍：強弱を持った一定のパルス信号）、当該ビートの最大値（又は、最小値、平均値）、当該ビートの変化位置（又は変化パターン）、当該ビートの変化量（ＢＰＭ：Beat Per Minute、テンポを表す）（又は変化率）、楽音の最大強度や平均強度（平均音量）、音量の変化位置（又は変化パターン）などが挙げられる。
【００２２】
これらの楽音特徴量の抽出には、公知の様々な方法を適用可能であるので、詳しい説明を省略するが、例えば、楽曲特徴量抽出部１３が、楽曲のデータを高速フーリエ変換（Fast Fourier Transform）して周波数分析を行い時間軸に沿った所定の時間間隔で周波数毎の音量値を算出してキー及びこれに関する量（キーの変化位置等）、コード及びこれに関する量（コードの変化位置や変化量等）の抽出を行ったり、所定のスレッショルドレベルにて楽曲のデータに係る波形のエンベロープを検出することによりビート及びこれに関する量（ビート（信号）の最大値等）の抽出を行う。
【００２３】
本最良の形態では、上述した付随情報、楽音特徴量（以下、楽曲特徴量という）等を有する楽曲特徴情報を、例えば、システム制御部１９にて生成（発生）させて情報記憶部１４に記憶するようにしている。なお、楽曲特徴情報については、楽曲情報がＭＰ（MPEG Audio Layer）３形式の情報である場合は、その情報が有する、若しくは、関連付けられた、例えばタイトル名、楽曲の格付け、再生回数、最後に再生した日時等のデータを抽出して構成に追加することもできる。
【００２４】
このような楽曲特徴情報は、システム制御部１９による楽曲情報の曲調の判別に用いられる。この曲調判別の処理では、例えば、予め情報記憶部１４等に記憶された、楽曲特徴量と曲調との対応付けを規定した曲調対応付けテーブルが用いられ、楽曲の楽曲特徴量に基づいて行われる。
【００２５】
ここで、曲調対応付けテーブルの一例を説明する。例えば、曲調としては、「明るい曲」、「ノリがいい曲」、「静かな曲」、「悲しい曲」と分類され、楽曲特徴量としては、「キー」、「コードの変化率（ＨＶＬ）」、「ビートの変化量（ＢＰＭ）」、「ビートの最大値」、「平均音量」と分類される。
【００２６】
また、楽曲特徴量のレベルを示す「高」、「中」、「低」は、例えば、ビートの変化量（ＢＰＭ）の場合、「高」は、１９０〜３００のレベル（数値）範囲で、「中」は、９０〜１８９のレベル範囲で、「低」は、０〜８９のレベル範囲で、夫々表される（従って、「中〜高」は、９０〜３００のレベル範囲を、「低〜中」は、０〜１８９のレベル範囲を表す）。また、例えば、平均音量の場合、「高」は、１．２〜２のレベル範囲で、「中」は、０．６〜１．１９のレベル範囲で、「低」は、０〜０．５９のレベル範囲で、夫々表される。また、「キー」の一例として「ハ長調」若しくは「イ短調」と示すことが可能であり、これについても、夫々、例えば、あるレベル範囲で表される。
【００２７】
このような曲調対応付けテーブルが参照されて曲調判別の処理が行われる場合、例えば、上記特定された楽曲の楽曲特徴量が、「明るい曲」に対応する楽曲特徴量のレベルを満たすか（言い換えれば、数値範囲に入るか）否かが判別され、満たす場合に当該楽曲は、「明るい曲」に合致すると判別されることになる（他の曲調についても同様である）。こうして一旦楽曲の曲調が判別されると、判別された曲調を示す情報は、当該楽曲に対応付けられて後述する楽曲リストに登録されることになる。
【００２８】
なお、本実施形態において、曲調もまた、楽曲の特徴を表す楽曲特徴情報の一例として扱われるものとする。
【００２９】
情報記憶部１４は、例えば、楽曲のデータ等を一時的に蓄積するバッファメモリ、楽曲のデータをエンコード（圧縮等）又はデコード（伸長等）するためのエンコーダ／デコーダ、ＨＤ（Hard Disc）、及びＨＤに楽曲のデータ等を記録又はＨＤから再生等を行うためのＨＤドライブ等を備えている。
【００３０】
なお、情報記憶部１４が、ＭＤ、ＤＶＤ−ＲＷ、又はカード型記録媒体等の記録媒体を備えて構成されるものであっても良い。
【００３１】
そして、情報記憶部１４は、システム制御部１９の制御下、例えば、情報再生部１１から出力された楽曲のデータを例えば圧縮して、ＨＤに記録すると共に、情報再生部１１から出力された付随情報を楽曲に関連付けて当該ＨＤに記録する。また、情報記憶部１４は、システム制御部１９の制御下、楽曲特徴量抽出部１３から出力された楽曲特徴量を当該楽曲に関連付けて記録するようになっている。
【００３２】
更に、情報記憶部１４は、システム制御部１９の制御下、例えば情報配信サーバ２からネットワーク（例えば、インターネット、移動体通信網等によりからなる）４を介して配信され通信部１８を介して受信された楽曲のデータ及びこれに付随する付随情報を当該ＨＤに記録するようになっている。
【００３３】
なお、情報配信サーバ２から取得される楽曲の楽音特徴量も、例えば当該取得の際に、楽曲特徴量抽出部１３により抽出され、当該楽曲に関連付けて記録される。
【００３４】
このように情報記憶部１４におけるＨＤに記録される各楽曲情報には、固有の登録番号（例えば、シリアル番号）が付与され、リスト管理されるようになっている。例えば、ＨＤに記録されている楽曲の登録番号、データ容量、記録場所、演奏時間、上記付随情報、楽曲のジャケット画像（例えば、シングルＣＤのジャケットの画像）、アルバムのタイトル及びジャケット画像（例えば、アルバムＣＤに収録されていた場合）、及び楽曲特徴量等の管理情報が楽曲リストに登録される。この楽曲リストのデータは、例えばＨＤに記録され、適宜、システム制御部１９により読み出され使用される。
【００３５】
なお、楽曲に付随する付随情報は、楽曲のデータがＨＤに記録される際に、利用者が操作・表示部１５を操作して入力され、上記管理情報として楽曲リストに登録されるようにしても良い。
【００３６】
また、システム制御部１９が、例えばＣＤの最内周部に記録されたＴＯＣ（Table ofcontent）情報を読み出し、当該ＴＯＣ情報をキーとして、公知のＣＤＤＢ（ＣＤデータベース）を備えるサーバ（図示せず）にネットワーク４を介して問い合わせを行い、当該サーバから、ＣＤに記録された楽曲の付随情報及びジャケット画像（当該楽曲がアルバムＣＤに収録されていた場合、アルバムのジャケット画像）等を取得して上記管理情報として上記楽曲リストに登録するようにしても良い。
【００３７】
操作・表示部１５は、例えばタッチパネル式の表示パネル（例えば液晶パネル）を備えており、システム制御部１９の制御下、上記楽曲リストに含まれる管理情報や、利用者が各種指示を入力するための操作ボタン等を表示するようになっている。このような操作ボタンが押されると、当該操作ボタンに対応する指示信号がシステム制御部１９に出力される。更に、表示パネルには、各楽曲に対応する表示物の一例としての楽曲アイコンが表示されるようにもなっており、当該楽曲アイコンが押される（触れられる）と、当該楽曲アイコンに対応する楽曲の例えば再生指示を示す指示信号がシステム制御部１９に出力されるようになっている。なお、当該操作ボタンが設けられたリモコンを併用しても良い。
【００３８】
マイクロフォン１６は、例えば利用者により発話された各種指示に関する音声を検出（集音）して、その音声信号を音声認識部１７に出力するようになっている。
【００３９】
音声認識部１７は、公知の音声認識処理を行うものであり、マイクロフォン１６からの音声信号の周波数分析を行い、予め用意された発話音声候補群の中から最も適合する候補を選定することによって、上記音声信号に含まれる情報（例えば、楽曲を選択するための指示情報）を認識し、これをシステム制御部１９に出力するようになっている。
【００４０】
システム制御部１９は、演算機能を有するＣＰＵ、作業用ＲＡＭ、及び各種処理プログラム（情報処理プログラム及び表示制御処理プログラムを含む）やデータを記憶するＲＯＭ等を備えており、本願の情報処理装置及び表示制御装置の一例である。なお、情報処理プログラム及び表示制御処理プログラムは、例えばネットワーク３に接続された所定のサーバからダウンロードされるようにしてもよいし、例えば、ＣＤ−ＲＯＭ等の記録媒体に記録されて当該記録媒体のドライブを介して読み込まれるようにしてもよい。
【００４１】
そして、ＣＰＵがＲＯＭ等に記憶されたプログラムを実行することにより、システム制御部１９は、楽曲情報再生装置１全体を統括制御し、楽曲の記録及び再生制御等を行うようになっている。
【００４２】
更に、システム制御部１９は、所定の選択条件に基づき、楽曲リストに登録された楽曲（つまり、ＨＤに記録された複数の楽曲）から、再生すべき楽曲を選択する。この所定の選択条件としては、予め設定された条件であっても良いし、利用者により指示された条件であっても良い。例えば、利用者から「ロック又はジャズから２０曲選択」という条件の指示があった場合には、楽曲リストに登録された各楽曲の管理情報が参照されてロック又はジャズに該当する楽曲が２０曲選択されることになる。或いは、利用者から「楽曲リストに登録された楽曲を全て選択」という条件の指示があった場合には、楽曲リストに登録された全ての楽曲が選択されることになる。
【００４３】
そして、システム制御部１９は、楽曲リストを表示するに当たり、例えば、上述した登録番号順、利用者が設定した楽曲のタイトル名順、アーティスト順などの所定条件で割り振られた前記楽曲情報を再生する再生順を設定して、その再生順で楽曲リストを表示する。なお、再生順については、情報記憶部１４に再生順情報として記憶したり、楽曲情報に関連付けて記憶したり、プログラム起動時に生成されて記憶するなど種々異なる形態とすることができる。
【００４４】
システム制御部１９は、請求項中の再生順情報取得手段として、前記再生順を示す再生順情報（若しくはそれに相当する情報）を記憶する情報記憶部（再生順情報記憶手段）１４から前記再生順情報を取得する。そして、請求項中の楽曲特徴情報発生手段として、前記再生順情報取得手段が取得した再生順情報に対応した前記楽曲情報の各々の特徴を示す前記楽曲特徴情報を発生する。なお、この楽曲特徴情報の発生については、予め情報記憶部１４に記憶している場合は、再生順情報に対応した楽曲情報に関連付けられている楽曲特徴情報をそこから抽出し、また、記憶していない場合は、上述したように楽曲特徴情報を生成するものである。
【００４５】
そして、システム制御部１９は、請求項中の再生順特徴情報生成手段として、前記再生順情報取得手段が取得した再生順情報と前記楽曲特徴情報発生手段が発生した複数の楽曲特徴情報に基づいて、前記利用者が任意に選択した特徴と前記複数の楽曲情報の再生順との関係を示す関係領域上に前記楽曲情報を示す提示情報を表示するための再生順特徴情報を生成する。
【００４６】
本最良の形態において、システム制御部１９は、利用者が任意に設定した２つの特徴情報と再生順情報との各々を、操作・表示部１５における表示画面上のＸ（横）軸方向、このＸ軸方向と直交するＹ（縦）軸方向、これらと直交するＺ（奥行き）軸方向に割り振ることで、前記関係領域を形成し、各軸に応じた位置に前記提示情報に相当する楽曲アイコンを表示するための再生順特徴情報を生成する。なお、どの情報をどの軸に割り振るかは、例えば操作・表示部１５を通じて利用者により任意に設定可能である。
【００４７】
そして、システム制御部１９は、請求項中の表示制御手段として、再生順特徴情報の表示を操作・表示部１５に指示することで、操作・表示部１５に再生順特徴情報を再生順特徴画面として表示させる。そして、この表示された再生順特徴画面における楽曲アイコンの表示位置に基づいて、再生順と楽曲の特徴との関係を利用者が視覚的に瞬時に把握できるようになっている。
【００４８】
図２は再生順特徴画面上における各楽曲に対応する楽曲アイコンの表示例を示す図であり、（ａ）はＸ軸が再生順の場合、（ｂ）はＺ軸が再生順の場合をそれぞれ示している。
【００４９】
なお、本最良の形態では、図２における楽曲の特徴として、ビートの変化量、平均音量、年代を適用した場合について説明する。例えば、ビートの変化量は１〜３００までのレベルがあり、平均音量は１〜２までのレベルがある。また、例えば、年代は、１９６０、１９７０、１９８０、１９９０、及び２０００までのレベルがある（なお、年代は、これより更に過去（例えば１６００年代）からのレベルであってもよく、また、その間隔も１年毎（例えば、２００２年、２００３年、２００４年等）にしてもよい。
【００５０】
図２に示す再生順特徴画面例では、大きさが異なる５つの楽曲アイコン５１〜５５が示されており、当該楽曲アイコン５１〜５５上には、例えば夫々の楽曲のタイトル（図３の例では、楽曲のタイトル（Ｔｒａｃｋ Ａ、Ｔｒａｃｋ Ｂ・・・が表されている）や夫々の楽曲に対応するジャケットの画像が表示される。なお、楽曲アイコン上に当該楽曲の製作国の国旗の画像（例えば、予め記憶しておく）が表示されるようにしても良い。
【００５１】
また、図２（ａ）の例では、Ｘ軸方向が再生順を、Ｙ軸方向がＢＰＭ（ビートの変化量）のレベルを、Ｚ軸方向が楽曲の年代を夫々表しており、例えば、平均音量レベルが大きい（高い）楽曲の楽曲アイコン５３は、Ｙ軸方向の上側に位置するようになっている。更に、図示しないが、複数の楽曲アイコン部分を除く背景画面が上述した楽曲全体の特徴を表す全体特徴情報に応じた色、模様又は絵で表示されることになる。
【００５２】
そして、楽曲アイコン５１乃至５５の大きさは、夫々、年代のレベルを表しており、古い年代（例えば、１９５０年代）の楽曲ほど楽曲アイコンの大きさが小さくなっている（イメージ的には、紙面奥行き（Ｚ軸）方向に向かうに従って古い年代（例えば、１９５０年代）になる）。
【００５３】
図２（ｂ）の例では、Ｘ軸方向が平均音量、Ｙ軸方向がＢＰＭのレベルを、Ｚ軸方向が再生順を、夫々表している。なお、図２（ｂ）では、上述した４つの楽曲アイコン５１〜５４のみを表示する場合を示しているが、アイコンの数については、表示対象によって変化するものである。また、図２（ｂ）においては、右上部に位置する楽曲は勢いノリがいい曲（例えば、ダンスミュージック等）である一方、左下部に位置する楽曲は優しい静かな曲（例えば、バラード等）である）するようになっている。
【００５４】
そして、楽曲アイコン５１乃至５４の大きさは、夫々、再生順を示しており、再生順が遅いほど楽曲アイコンの大きさが小さくなっている（イメージ的には、紙面奥行き（Ｚ軸）方向に向かうに従って再生順が遅くなる）。
【００５５】
こうして表示された楽曲アイコンが指定される（触れられる）と、システム制御部１９により例えば当該楽曲アイコンに対応する楽曲の再生処理が行われることになるが、選択される楽曲の数が多くなると、表示画面上に表示される複数の楽曲アイコンが重なって表示されることになる。
【００５６】
なお、再生順特徴画面の他の表示例としては、楽曲アイコン５１乃至５４を楽曲の特徴に応じた表示色で表示したり、アイコンの各々を異なる表示色で表示したりするなど種々異なる形態とすることができる。また、本最良の形態では、３次元の再生順特徴画面として表示する場合について説明するが、１つの特徴と再生順とによる２次元の再生順特徴画面とすることもできる。
【００５７】
次に、上述した構成のシステム制御部１９が実行する本発明に係る再生順変更支援処理の一例を説明する。そして、図３は図１のシステム制御部が実行する再生順変更支援処理を示すフローチャートである。
【００５８】
なお、本最良の形態において、再生順変更支援処理をシステム制御部１９に実行させる再生順変更支援処理プログラムを情報記憶部１４に記憶しており、このプログラムをシステム制御部１９が実行することで、請求項中の再生順情報取得手段、楽曲特徴情報発生手段、再生順特徴情報生成手段、表示制御手段、変更情報取込手段、及び、再生順変更手段としてシステム制御部１９は機能することになる。
【００５９】
利用者からの要求等に応じて、再生順変更支援処理プログラムがシステム制御部１９によって実行されると、図３に示すステップＳ１１（再生順情報取得手段）において、情報記憶部１４から再生順情報が取得されて作業用ＲＡＭに記憶され、その後ステップＳ１２に進む。なお、再生順情報の取得については、再生対象となっている前記楽曲情報とそれ以降の前記楽曲情報に対応した前記再生順情報を取得するようにしている。
【００６０】
ステップＳ１２において、情報記憶部１４等から特徴表示条件が取得されて作業ＲＡＭに記憶され、その後ステップＳ１３に進む。なお、特徴表示条件とは、再生順特徴画面における各軸に対して利用者等によって予め設定された項目（軸の配置）や、アイコンの種類などの画面パターンを設定するものである。
【００６１】
ステップＳ１３（楽曲特徴情報発生手段）において、取得された再生順情報に対応した楽曲情報の各々の特徴を示す楽曲特徴情報が情報記憶部１４から取得されて再生順情報に関連付けられて作業用ＲＡＭに記憶され、その後ステップＳ１４に進む。
【００６２】
ステップＳ１４（再生順特徴情報生成手段）において、作業用ＲＡＭの再生順情報とその楽曲特徴情報と特徴表示条件とに基づいて、利用者が任意に選択した特徴と前記複数の楽曲情報の再生順との関係を示す関係領域上に前記楽曲情報を示す楽曲アイコン（提示情報）を表示するための再生順特徴情報が生成されて作業用ＲＡＭに記憶され、その後ステップＳ１５に進む。
【００６３】
ステップＳ１５（表示制御手段）において、作業用ＲＡＭの再生順特徴情報の表示が操作・表示部１５に指示され、その後ステップＳ１６に進む。なお、操作・表示部１５は、この表示指示に応じて、再生順特徴情報に基づいた再生順特徴画面（図２参照）を表示する。なお、異なる端末装置にて表示させる場合は、通信部１８を介してその端末装置に再生順特徴情報の表示を指示することになる。
【００６４】
ステップＳ１６において、操作・表示部１５からの入力があるか否かが判定される。入力がないと判定された場合は（Ｓ１６でＮ）、この判定処理を繰り返すことで、利用者等からの入力を待つ。一方、外部からの入力があると判定された場合は（Ｓ１６でＹ）、ステップＳ１７に進む。
【００６５】
ステップＳ１７（変更情報取込手段）において、操作・表示部１５からの入力に基づいて、再生順に対する例えば、楽曲削除、楽曲追加、再生順の移動等の変更内容が抽出され、この変更内容を示す変更情報として取り込まれて作業用ＲＡＭに記憶され、その後ステップＳ１８に進む。なお、変更内容の抽出方法としては、利用者等による操作・表示部１５のタッチパネルのタッチ位置に基づいて選択内容を検出するようにしているが、所定位置の選択によって各種変更を指定するメニューを表示させ、そのメニューに対する選択内容を検出するなど種々異なる形態とすることができる。
【００６６】
ステップＳ１８（再生順変更手段）において、作業用ＲＡＭの変更情報に基づいて、変更対象となる再生順情報が特定されて変更され、その変更結果は情報記憶部１４に記憶している再生順情報に反映され、その後ステップＳ１９に進む。
【００６７】
ステップＳ１９において、変更された再生順情報に基づいて、操作・表示部１５に表示させている再生順特徴情報が更新され、ステップＳ２０において、更新された再生順特徴情報の更新表示が操作・表示部１５に指示され、その後処理が終了される。そして、操作・表示部１５は、この表示指示に応じて、再生順特徴情報に基づいた利用者によって変更された再生順特徴画面（図２参照）を表示する。
【００６８】
なお、上述した再生順変更処理については、ステップＳ２０の後に、利用者等からの終了要求を受けたときに処理を終了し、再度の変更を要求された場合はステップＳ１６以降の処理を繰り返したり、また、楽曲情報の再生が要求されたときに処理を終了するなど種々異なる形態とすることができる。
【００６９】
次に、上述した楽曲情報再生装置１の再生順変更支援機能による再生順情報の変更例を以下に説明する。なお、図４は再生順情報の変更例１を説明するための再生順特徴情報の表示例を示す図であり、（ａ）は変更前、（ｂ）は変更後をそれぞれ示している。そして、図４では、Ｘ軸が再生順、Ｙ軸がＢＰＭ、Ｚ軸が年代をそれぞれ示しており、その基本構成は図２（ａ）と同一となっていため、画面構成の説明は省略する。
【００７０】
なお、変更前の楽曲リストは、その再生順がタイトル名のＴｒａｃｋ Ａ、Ｔｒａｃｋ Ｃ、Ｔｒａｃｋ Ｅ、Ｔｒａｃｋ Ｄ、Ｔｒａｃｋ Ｂ、Ｔｒａｃｋ Ｆ、Ｔｒａｃｋ Ｇ…の順となっている。そして、本最良の形態では、再生順特徴画面の見易さを考慮して、再生対象から５件文の楽曲情報を表示する場合について説明するが、表示件数は画面サイズ等を考慮したり、利用者の設定などに応じて任意に設定されるものである。
【００７１】
まず、再生順情報の変更例１において、楽曲情報再生装置１は、利用者から再生順変更要求を受けると、上述したように情報記憶部１４から楽曲リストに対応した再生順情報、特徴表示条件、楽曲特徴情報を取得し、これらに基づいて再生順特徴情報を生成し、この情報に基づいて図４（ａ）に示す再生順特徴画面を操作・パネル部１５に表示する。
【００７２】
そして、この表示画面上で利用者が変更したいＴｒａｃｋ Ｃの楽曲アイコン５３のゴミ箱６０への移動を検出すると、この検出結果からＴｒａｃｋ Ｃの削除という変更内容を示す変更情報を取り込み、この変更情報に基づいてＴｒａｃｋ Ｃに対応した再生順情報を削除すると共に、その再生順以降に対応した再生順情報が１つずつ繰り上げられる。
【００７３】
そして、再生順特徴情報を、Ｔｒａｃｋ Ｃの削除に伴って、Ｔｒａｃｋ Ｂの後のＴｒａｃｋ Ｆまでに対応するように更新して表示することで、操作・パネル部１５には図４（ｂ）に示すように、Ｔｒａｃｋ Ａ、Ｔｒａｃｋ Ｅ、Ｔｒａｃｋ Ｄ、Ｔｒａｃｋ Ｂ、Ｔｒａｃｋ Ｆの再生順で楽曲アイコン５１，５５，５４，５２，５６が表示され、ＢＰＭがほぼ同一の楽曲が再生されていくことが分かる。
【００７４】
さらに、楽曲情報再生装置１は、利用者によって再生順特徴画面上の任意の楽曲アイコンが選択されたことを検出すると、その楽曲アイコンに対応した楽曲情報のハイライト（サビ）の部分を確認用に再生する。よって、この再生に基づいて利用者は再生順を確認し、この再生順についても不満がある場合、利用者の好みに近づくまで上述した変更を繰り返すことになる。なお、確認用の再生は行わずに、表示のみで利用者に判断させるようにしても差し支えない。
【００７５】
なお、本最良の形態では、再生順の最後に、新たなＴｒａｃｋ Ｆの楽曲アイコン５６を追加する変更方法について説明したが、本発明はこれに限定するものではなく、Ｔｒａｃｋ Ｃの楽曲アイコン５３が表示されていた位置にＴｒａｃｋ Ｆの楽曲アイコン５６を挿入するように変更するなど種々異なる形態とすることができる。さらに、なお、楽曲アイコンの削除については、アイコンを触っただけで削除したり、「Ｔｒａｃｋ Ｃをリストから削除」との音声認識によって削除するなど種々異なる形態とすることができる。
【００７６】
次に、再生順情報の変更例２において、楽曲情報再生装置１は、複数の楽曲アイコンを削除する場合について説明する。そして、図５は再生順情報の変更例２を説明するための再生順特徴情報の表示例を示す図であり、（ａ）は変更前、（ｂ）は変更後をそれぞれ示している。
【００７７】
楽曲情報再生装置１は、利用者から再生順変更要求を受けると、上述したように情報記憶部１４から楽曲リストに対応した再生順情報、特徴表示条件、楽曲特徴情報を取得し、これらに基づいて再生順特徴情報を生成し、この情報に基づいて図５（ａ）に示す再生順特徴画面を操作・パネル部１５に表示する。
【００７８】
そして、この表示画面上で利用者が変更したいＴｒａｃｋ Ｅ，Ｔｒａｃｋ Ｄの楽曲アイコン５５，５４がまとめてゴミ箱６０へ移動されたことを検出すると、この検出結果からＴｒａｃｋ Ｅ，Ｄの削除という変更内容を示す変更情報を取り込み、この変更情報に基づいてＴｒａｃｋ Ｅ，Ｄに対応した再生順情報を削除すると共に、その再生順以降に対応した再生順情報が１つずつ繰り上げられる。
【００７９】
なお、複数の楽曲アイコンの削除については、図５（ａ）に示すように操作・表示部１５のタッチパネルにおけるＴｒａｃｋ Ｅ，Ｄを囲むようになぞらせることで、複数の楽曲アイコンを選択してゴミ箱６０に移動させる場合について説明するが、変更メニューのグループを選んで音声操作する、また、「真ん中辺の楽曲を削除」、「右側の曲を削除」、「Ｔｒａｃｋ ＥとＴｒａｃｋ Ｄをリストから削除」などを利用者がマイクロフォン１６から入力して音声操作するなど種々異なる形態とすることができる。
【００８０】
また、再生順特徴情報を、Ｔｒａｃｋ Ｅ，Ｄの削除に伴って、Ｔｒａｃｋ Ｂの後のＴｒａｃｋ Ｆ，Ｇまでに対応するように更新して表示することで、操作・パネル部１５には図５（ｂ）に示すように、Ｔｒａｃｋ Ａ、Ｔｒａｃｋ Ｃ、Ｔｒａｃｋ Ｂ、Ｔｒａｃｋ Ｆ、Ｔｒａｃｋ Ｇの再生順で楽曲アイコン５１，５３，５２，５６，５７が表示され、ＢＰＭがほぼ同一の楽曲が再生されていくことが分かる。そして、上述した変更例１と同様に、この再生順についても不満がある場合、利用者の好みに近づくまで上述した変更を繰り返すことになる。
【００８１】
次に、再生順情報の変更例３において、より簡単に楽曲アイコンを削除する場合について説明する。そして、図６は再生順情報の変更例３を説明するための再生順特徴情報の表示例を示す図である。
【００８２】
楽曲情報再生装置１は、利用者から再生順変更要求を受けると、上述したように情報記憶部１４から楽曲リストに対応した再生順情報、特徴表示条件、楽曲特徴情報を取得し、これらに基づいて再生順特徴画面を複数の画面に分割し、分割した区分領域Ｅの各々が異なる色で表示されるように再生順特徴情報を生成し、この情報に基づいて図６に示す再生順特徴画面を操作・パネル部１５に表示する。
【００８３】
本最良の形態では、再生順特徴画面において、上段の左から、黄色、オレンジ、ピンクとし、中段の左から青、緑、赤とし、下段の左から水色、白、紫として各区分領域Ｅを表示するようにしている。なお、この複数の表示色による表示は、再生順情報の変更時のみとしているが、常時表示するようにしてもよい。
【００８４】
そして、この表示画面上で利用者が変更したい楽曲アイコンが表示されている区分領域Ｅを選択したことを、タッチパネルのタッチ位置、音声認識等によって検出すると、その区分領域Ｅに対応した楽曲アイコンの削除という変更内容を示す変更情報として取り込み、この変更情報に基づいて該当する再生順情報を削除すると共に、その再生順以降に対応した再生順情報が１つずつ繰り上げられる。その後の処理については、上述した変更１，２と同一であることから、説明は省略する。このようにすることで、利用者は区分領域Ｅを選択すれば良いため、操作の簡単化を図ることができる。
【００８５】
次に、再生順情報の変更例４においては、楽曲の盛り上がりの変化に応じた再生順となるように変更する場合について説明する。そして、図７は再生順情報の変更例４を説明するための再生順特徴情報の表示例を示す図であり、（ａ）は変更前、（ｂ）は変更後をそれぞれ示している。
【００８６】
楽曲情報再生装置１は、利用者から再生順変更要求を受けると、上述したように情報記憶部１４から楽曲リストに対応した再生順情報、特徴表示条件、楽曲特徴情報を取得し、これらに基づいて再生順特徴情報を生成し、この情報に基づいて図７（ａ）に示す再生順特徴画面を操作・パネル部１５に表示する。
【００８７】
そして、この表示画面上で、利用者が盛り上がり度数の変化を、ＢＰＭの変化に応じた連続した線として選択すると、この選択結果を示す軌跡Ｌとして変更情報を取り込み、前記変更情報の示す軌跡Ｌ上、若しくは、軌跡Ｌ近傍に楽曲アイコン（提示情報）が表示されるように再生順を変更し、この変更した再生順となるように、情報記憶部（再生順情報記憶手段）１４が記憶している再生順情報を変更する。
【００８８】
そして、この変更に応じて再生順特徴情報を更新して表示することで、操作・パネル部１５には図７（ｂ）の軌跡Ｌが示すように、盛り上がった曲と落ち着いた曲が所定の曲数で変化する再生順に変更された、Ｔｒａｃｋ Ａ、Ｔｒａｃｋ Ｃ、Ｔｒａｃｋ Ｅ、Ｔｒａｃｋ Ｂ、Ｔｒａｃｋ Ｄの再生順で楽曲アイコン５１，５３，５５，５２，５４が表示され、利用者が好む盛り上がり変化となって再生されていくことが分かる。
【００８９】
なお、利用者が類似した楽曲のみを連続して再生したい場合は、任意のＢＰＭを選択したり、この選択したＢＰＭに対する略直線を上記表示画面上で選択するなどの操作を変更情報として取り込むことで対応することができる。
【００９０】
また、変更例４に対する逆の方法として、再生順の楽曲情報から盛り上がり変化を示すグラフを導き出し、それを音として利用者に伝える用にしてもよい。
【００９１】
なお、楽曲情報再生装置１の再生順変更支援機能による再生順情報の変更例は、上記した変更例１乃至変更例４に限ることなく、様々な変更例が考えられる。
【００９２】
例えば、図４（ａ）に示される再生順において、利用者がＴｒａｃｋ  Ｃの楽曲アイコン５３をタッチパネルにて数秒間長押し操作すると、楽曲情報再生装置１はその操作に応じた変更情報を取り込み、この変更情報に基づいてＴｒａｃｋ  Ｃに対する再生順の変更が要求されたことを検出すると、そのＴｒａｃｋ  Ｃの楽曲の再生順を先頭にして、再生順情報をＴｒａｃｋ  Ｃ、Ｔｒａｃｋ  Ａ、Ｔｒａｃｋ  Ｅ、Ｔｒａｃｋ  Ｄ、Ｔｒａｃｋ  Ｂ・・・に変更する。そして、この変更に応じて再生順特徴情報を更新して表示することで、その変更された再生順情報の再生順で楽曲アイコン５３、５１、５５、５４、５２が表示される。
【００９３】
また、Ｔｒａｃｋ  Ｃの楽曲の再生順を先頭にする際に、その再生順としてＴｒａｃｋ  Ｃの前に存在するＴｒａｃｋ  Ａを削除してもよい。つまり、Ｔｒａｃｋ  Ｃの楽曲アイコン５３を長押し操作することで、Ｔｒａｃｋ  Ａの楽曲アイコン５１をゴミ箱６０へ移動して、再生順情報をＴｒａｃｋ  Ｃ、Ｔｒａｃｋ  Ｅ、Ｔｒａｃｋ  Ｄ、Ｔｒａｃｋ  Ｂに変更する。そして、新たな楽曲である楽曲アイコンＴｒａｃｋ  Ｆを加えて、この変更に応じて再生順特徴情報を更新して表示することで、変更された再生順情報の再生順で楽曲アイコン５３、５５、５４、５２、５６が表示される。
【００９４】
なお、楽曲アイコンの長押し操作に限ることなく、例えば、楽曲アイコン５３を押した状態でその楽曲アイコン５３をＴｒａｃｋ  Ａの前に移動させるような操作でもよく、また、先頭に限ることなく任意の順序として変更するようにしてもよい。
【００９５】
さらに、例えば、「似ている曲」なるボタンを画面上に表示し、図４（ａ）に示されるＴｒａｃｋ  Ｃの楽曲アイコン５３を押した状態でその楽曲アイコン５３を「似ている曲」なるボタンの表示位置に移動させることで、そのＴｒａｃｋ  Ｃの楽曲特徴量に類似する楽曲特徴量の楽曲を再生順とするようにしてもよい。
【００９６】
この場合では、例えば、図５（ｂ）で示されるＴｒａｃｋ  ＦのＢＰＭが上記Ｔｒａｃｋ  ＣのＢＰＭと類似していることから、そのＴｒａｃｋ  Ｆが再生順として繰り上がり、さらに、Ｔｒａｃｋ  Ａ、Ｔｒａｃｋ  Ｅ、Ｔｒａｃｋ  Ｄ、Ｔｒａｃｋ  Ｂに替わって楽曲特徴量（例えば、ＢＰＭ）が類似するＴｒａｃｋ  Ｉ、Ｔｒａｃｋ  Ｊ、Ｔｒａｃｋ  Ｋが再生順として繰り上がり、再生順情報をＴｒａｃｋ  Ｃ、Ｔｒａｃｋ  Ｆ、Ｔｒａｃｋ  Ｉ、Ｔｒａｃｋ  Ｊ、Ｔｒａｃｋ  Ｋ・・・に変更する。そして、変更された再生順情報の再生順で各々の楽曲アイコンが表示される。なお、楽曲特徴量の類似については、例えば、選択された楽曲のＢＰＭの範囲（高、中、低）に入る楽曲を類似と判断するようにする。
【００９７】
なお、上述した操作についても、タッチパネルの長押し操作に限定するものではなく、上述した音声認識機能を利用した音声操作で行うようにしてもよい。
【００９８】
このように、再生順情報の変更例は様々な形態にて実現することが可能であり、本発明の主旨を逸脱しない範囲であれば、多種多様な変更例を採用することが可能である。
【００９９】
以上説明したように再生順変更支援ユニットを組み込んだ楽曲情報再生装置１によれば、利用者が任意に選択した楽曲の特徴と複数の楽曲の再生順との関係を示す関係領域上に楽曲アイコン（提示情報）５１〜５７を表示させる再生順特徴情報を生成して表示させ、この表示に応じて利用者が入力した変更情報を取り込み、この変更情報に基づいて情報記憶部（再生順情報記憶手段）１４が記憶している再生順情報を変更するようにしたことから、利用者は表示される再生順特徴情報から複数の提示情報に対する楽曲の特徴と再生順との関係、つまり、複数の楽曲全体の特徴を把握して再生順を容易かつ速やかに変更することができる。
【０１００】
また、再生対象となっている楽曲情報とそれ以降の楽曲情報に対応した再生順情報を取得し、この再生順情報に対応した楽曲情報を示す提示情報が関係領域上に表示するように表示されることから、利用者は再生対象の楽曲とそれ以降の楽曲の特徴を容易に把握することができるため、次以降に再生される楽曲を利用者の好みの楽曲に即座に変更することができる。
【０１０１】
さらに、利用者に表示される再生順特徴情報の関係領域における特徴と再生順とに対応して利用者が選択した選択結果を示す軌跡として取り込み、この軌跡に沿うように再生順を変更するようにしたことから、利用者は再生順に対する好みの特徴を関係領域に対して簡単に入力することができるため、簡単に利用者の好みの再生順に変更することができる。
【０１０２】
また、再生順特徴情報の関係領域を複数の区分領域に区分し、その区分領域の各々を異なる表示色で表示するように再生順特徴情報を生成して表示させ、この表示に応じて利用者が選択した表示色を示す変更情報を取り込み、その表示色が示す区分領域に表示している楽曲アイコン（提示情報）５１〜５７を削除するようにしたことから、利用者は区分領域をその表示色で選択するだけで楽曲アイコン５１〜５７を削除できるため、速やかな再生順情報の変更を支援することができる。
【０１０３】
なお、上述した本最良の形態では、再生順変更支援ユニットを楽曲情報再生装置１に組み込む場合について説明したが、再生順変更支援ユニットをアプリケーションプログラムとして提供して、パーソナル・コンピュータ、オーディオ装置、形態端末装置、携帯電話機等を再生順変更支援ユニット（装置）として機能させるなど種々異なる形態とすることができる。
【図１】
0004616337.tif 000002
【図２】
0004616337.tif 000003
【図３】
0004616337.tif 000004
【図４】
0004616337.tif 000005
【図５】
0004616337.tif 000006
【図６】
0004616337.tif 000007
【図７】
0004616337.tif 000008